(57)【要約】【課題】  塵埃がコンセントの差込口から内部へ入るのを防止すると共に、移動時に生じる摩擦力を大幅に低減するコンセント用防塵カバーを提供する。【解決手段】  カバー本体と、該カバー本体の裏側に設置される２つの防塵プレートと、該２つの防塵プレートの間に設置される弾性部材とを備え、前記カバー本体は、２つの差込口を有すると共に、該カバー本体の裏側に収容部が形成され、該収容部における該２つの差込口の近傍に位置決めフレームが設けられ、また、前記２つの防塵プレートは、位置決めフレーム内に互いに平行に設けられ、該各防塵プレートの上部にそれぞれ中央から外側下方へ傾斜する斜面が形成され、該各斜面は夫々前記差込口の裏側に位置し、更に、該２つの防塵プレートの相対する側面には夫々対応し合う固定部材が設けられ、それら互いに対応する固定部材の間には弾性部材が取り付けられることを特徴とする。【選択図】  図１
0003129279.tif 000002
【実用新案登録請求の範囲】
【請求項１】
カバー本体と、該カバー本体の裏側に設置される２つの防塵プレートと、該２つの防塵プレートの間に設置される弾性部材とを備え、
前記カバー本体は、２つの差込口を有すると共に、該カバー本体の裏側に収容部が形成され、該収容部における該２つの差込口の近傍に位置決めフレームが設けられ、また、前記２つの防塵プレートは、位置決めフレーム内に互いに平行に設けられ、該各防塵プレートの上部にそれぞれ中央から外側下方へ傾斜する斜面が形成され、該各斜面は夫々前記差込口の裏側に位置し、更に、該２つの防塵プレートの相対する側面には夫々対応し合う固定部材が設けられ、それら互いに対応する固定部材の間には弾性部材が取り付けられることを特徴とするコンセント用防塵カバー。
【請求項２】
前記２つの差込口の間に所定の間隔で２つのガイド部材が設けられ、また、該２つの差込口は連通すると共に、前記弾性部材は、２つのガイド部材の間に位置することを特徴とする請求項１に記載のコンセント用防塵カバー。
【請求項３】
該弾性部材は、スプリングであることを特徴とする請求項１又は請求項２に記載のコンセント用防塵カバー。
【考案の詳細な説明】
【技術分野】
【０００１】
本考案は、特に塵埃がコンセントの差込口から内部へ入らないコンセント用防塵カバーに関するものである。
【背景技術】
【０００２】
一般のコンセントは、壁に設けられる端子と、該端子をカバーすると共に、壁の表面に設置されるカバーを有し、該カバーには壁の表面から端子へ通じる２つの差込口が設けられる。また、前記コンセントに対応する一般のプラグは１対のブレードを有し、該コンセントを使用する時は、該プラグのブレードを該差込口に挿入することにより、端子と電気接続する。しかし、床付近や屋外など塵埃の多い環境に設置されるコンセントは、塵埃が該差込口から内部へ入ってしまうと、故障につながる恐れがある。
【０００３】
図６及び図７に示すように、従来のコンセント用防塵カバーは、カバー本体（９０）とカバー本体（９０）の裏側に設けられる防塵ブロック（９１）を備え、その内、該カバー本体（９０）は２つの差込口（９０３）を有すると共に、その裏側に収容部（９０１）が形成され、該収容部（９０１）における、該２つの差込口（９０３）の周囲に位置決めフレーム（９０４）が設けられ、該２つの差込口（９０３）の間に当接部材（９０２）が設けられる。
【０００４】
前記防塵ブロック（９１）は、２つのプレート（９１３）と２つの連結部材（９１４）とからなり、該２つのプレート（９１３）の上部に夫々同一方向に傾斜する１つの斜面（９１２）が設けられ、該２つのプレート（９１３）は、前記位置決めフレーム（９０４）内において平行に設けられると共に、各プレート（９１３）の斜面（９１２）は夫々前記差込口（９０３）の裏側に位置する。また、一方のプレート（９１３）の両端部は、夫々他方のプレート（９１３）の両端部に対応し、該２つの連結部材（９１４）の端部は、夫々一方のプレート（９１３）と他方のプレート（９１３）に連結されている。
【０００５】
さらに、前記一方のプレート（９１３）には、当接部材（９０２）に対応する固定部材（９１１）が設けられ、該固定部材（９１１）と該当接部材（９０２）の間に、例えばゴムやスプリングなどの弾性部材（９２）が設けられる。
【０００６】
前記の構造によれば、コンセントを使用していない時は、プレート（９１３）が常にカバー本体（９０）における差込口（９０３）の裏側を遮蔽することにより、防塵効果を発揮する。一方、図８及び図９に示すように、プラグのブレード（図示せず）を前記差込口（９０３）に挿入する時は、該ブレードがプレート（９１３）の斜面（９１２）に接触して、該２つのプレート（９１３）と２つの連結部材（９１４）を移動させることにより、ブレードが端子（図示せず）に電気接続される。
【考案の開示】
【考案が解決しようとする課題】
【０００７】
しかしながら、前記従来のコンセント用防塵カバーは、防塵ブロックにおける２つのプレート及び２つの連結部材がプラグの挿入により移動する時、カバー本体の裏側と位置決めフレームとが摩擦するので、大きな摩擦力が生じる。このため、使用時にはどうしてもプラグを強く挿入しなければならないので、使用上、非常に不便である。
【０００８】
そこで、案出されたのが本考案であって、塵埃がコンセントの差込口から内部へ入るのを防止すると共に、移動時に生じる摩擦力を大幅に低減するコンセント用防塵カバーを提供することを目的としている。
【課題を解決するための手段】
【０００９】
本願の請求項１の考案は、カバー本体と、該カバー本体の裏側に設置される２つの防塵プレートと、該２つの防塵プレートの間に設置される弾性部材とを備え、
前記カバー本体は、２つの差込口を有すると共に、該カバー本体の裏側に収容部が形成され、該収容部における該２つの差込口の近傍に位置決めフレームが設けられ、また、前記２つの防塵プレートは、位置決めフレーム内に互いに平行に設けられ、該各防塵プレートの上部にそれぞれ中央から外側下方へ傾斜する斜面が形成され、該各斜面は夫々前記差込口の裏側に位置し、更に、該２つの防塵プレートの相対する側面には夫々対応し合う固定部材が設けられ、それら互いに対応する固定部材の間には弾性部材が取り付けられることを特徴とするコンセント用防塵カバー、を提供する。
【００１０】
本願の請求項２の考案は、前記２つの差込口の間に所定の間隔で２つのガイド部材が設けられ、また、該２つの差込口は連通すると共に、前記弾性部材は、２つのガイド部材の間に位置することを特徴とする請求項１に記載のコンセント用防塵カバー、を提供する。
【００１１】
本願の請求項３の考案は、該弾性部材は、スプリングであることを特徴とする請求項１又は請求項２に記載のコンセント用防塵カバー、を提供する。
【考案の効果】
【００１２】
本考案は上記の課題を解決するものであり、カバー本体の裏側及び位置決めフレームと、２つの防塵プレートとが摩擦するだけであるので、摩擦力を大幅に低減することにより、優れた利便性を有するコンセント用防塵カバーを提供する。
【考案を実施するための最良の形態】
【００１３】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１４】
図１は本考案に係るコンセント用防塵カバーの第１実施例を示す斜視図であり、図２は本考案に係るコンセント用防塵カバーの第１実施例を示す他の斜視図であり、図３は本考案に係るコンセント用防塵カバーの第１実施例を示す一部分解斜視図であり、図４は本考案に係るコンセント用防塵カバーの第１実施例の使用状態を示す側面断面図であり、図５は本考案に係るコンセント用防塵カバーの第１実施例の使用状態を示す他の側面断面図である。
【００１５】
図１乃至図３に示すように、本考案の第１実施例は、カバー本体（１０）と、該カバー本体（１０）の裏側に設置される２つの防塵プレート（２０）と、該２つの防塵プレート（２０）の間に設置される弾性部材（３０）とを備え、該カバー本体（１０）は、２つの差込口（１３）を有すると共に、該カバー本体（１０）の裏側に収容部（１１）が形成され、該収容部（１１）における該２つの差込口（１３）の近傍に位置決めフレーム（１２）が設けられる。また、該２つの差込口（１３）の間に所定の間隔で２つのガイド部材（１４）が設けられる。
【００１６】
前記２つの防塵プレート（２０）は、位置決めフレーム（１２）内に互いに平行に設けられ、該各防塵プレート（２０）の上部にそれぞれ中央から外側下方へ傾斜する斜面（２２）が形成され、該各斜面（２２）は夫々前記差込口（１３）の裏側に位置する。
更に、前記２つの防塵プレート（２０）の相対する側面には夫々固定部材（２１）が設けられ、一方の防塵プレート（２０）の固定部材（２１）は、他方の防塵プレート（２０）の固定部材（２１）に対応する。
【００１７】
前記互いに対応する固定部材（２１）の間には、例えばゴムやスプリングなどの弾性部材（３０）が設けられ、該弾性部材（３０）は前記２つのガイド部材（１４）の間に位置する。
【００１８】
前記の構造によれば、コンセントを使用していない時は、該防塵プレート（２０）が常にカバー本体（１０）における差込口（１３）の裏側を遮蔽して、防塵効果を発揮する。一方、図４及び図５に示すように、プラグのブレード（図示せず）を前記差込口（１３）に挿入する時は、該ブレードが防塵プレート（２０）の斜面（２２）に接触することにより、２つの防塵プレート（２０）が弾性部材（３０）を押圧して互いに内側へ移動するので、プラグのブレードが更に内部へ挿入され、端子（図示せず）と電気接続される。
【００１９】
更に、本考案のコンセント用防塵蓋では、単にカバー本体（１０）の裏側及び位置決めフレーム（１２）と、２つの防塵プレート（２０）とが摩擦するだけであるので、摩擦力を大幅に低減することができる。
【産業上の利用可能性】
【００２０】
本考案は上記の構成を有するので、防塵効果を有すると共に、防塵プレートの移動時に生じる摩擦力も大幅に低減されることから、理想な利便性を具備するコンセント用防塵カバーを提供することができる。
【図面の簡単な説明】
【００２１】
【図１】本考案に係るコンセント用防塵カバーの第１実施例を示す斜視図である。
【図２】本考案に係るコンセント用防塵カバーの第１実施例を示す他の斜視図である。
【図３】本考案に係るコンセント用防塵カバーの第１実施例を示す一部分解斜視図である。
【図４】本考案に係るコンセント用防塵カバーの第１実施例の使用状態を示す側面断面図である。
【図５】本考案に係るコンセント用防塵カバーの第１実施例の使用状態を示す他の側面断面図である。
【図６】従来のコンセント用防塵カバーの斜視図である。
【図７】従来のコンセント用防塵カバーの分解斜視図である。
【図８】従来のコンセント用防塵カバーの使用状態を示す側面断面図である。
【図９】従来のコンセント用防塵カバーの使用状態を示す他の側面断面図である。
【符号の説明】
【００２２】
１０  カバー本体
１１  収容部
１２  位置決めフレーム
１３  差込口
１４  ガイド部材
２０  防塵プレート
２１  固定部材
２２  斜面
３０  弾性部材
９０  カバー本体
９０１ 収容部
９０２ 当接部材
９０３ 差込口
９０４ 位置決めフレーム
９１  防塵ブロック
９１１ 固定部材
９１２ 斜面
９１３ プレート
９１４ 連結部材
９２  弾性部材
【図１】
0003129279.tif 000003
【図２】
0003129279.tif 000004
【図３】
0003129279.tif 000005
【図４】
0003129279.tif 000006
【図５】
0003129279.tif 000007
【図６】
0003129279.tif 000008
【図７】
0003129279.tif 000009
【図８】
0003129279.tif 000010
【図９】
0003129279.tif 000011